(57)【要約】      （修正有）【課題】電子機器の電磁波を効果的に低減でき、電磁波が人体に及ぼす影響を防ぐことができる電磁波を低減させる電子機器の保護カバーを提供する。【解決手段】電磁波を低減させる電子機器の保護カバーＡは、主に、内張体１４と外保護体１５によって構成され、そのうち、内張体と外保護体の二者間は粘着剤１６を用いて貼り付け、尚且つ粘着剤には遠赤外線の粉末を添加する。電子機器を保護カバー内に納めた後、保護カバー内に備えた遠赤外線の粉末によって電子機器の電磁波を効果的に低減させられる。【選択図】図３
0003186288.tif 000002
【実用新案登録請求の範囲】
【請求項１】
内張体と外保護体とにより構成される電磁波を低減させる電子機器の保護カバーにおいて、そのうち、内張体と外保護体の二者間は遠赤外線の粉末を添加した粘着剤を用いて貼り合わせることを特徴とする電磁波を低減させる電子機器の保護カバー。
【請求項２】
前記保護カバーは被覆体と蓋体とに区分され、二者間は可撓性の連結部品によって連結することを特徴とする請求項１に記載の電磁波を低減させる電子機器の保護カバー。
【請求項３】
前記保護カバーの電子機器のレンズに対応する箇所には開口を備えることを特徴とする請求項２に記載の電磁波を低減させる電子機器の保護カバー。
【請求項４】
前記蓋体の連結部品のある側の相対端に嵌合体を突設し、該嵌合体は被覆体の内側端方向に延伸し、被覆体の四角端にはそれぞれ保護カバー内側端向きの嵌合部品を突設することを特徴とする請求項２に記載の電磁波を低減させる電子機器の保護カバー。
【請求項５】
前記電子機器は携帯電話であることを特徴とする請求項１或いは２に記載の電磁波を低減させる電子機器の保護カバー。
【請求項６】
前記電子機器はタブレットパソコンであることを特徴とする請求項１或いは２に記載の電磁波を低減させる電子機器の保護カバー。
【請求項７】
前記保護カバーは遠赤外線の粉末を直接添加して一体射出成形することを特徴とする請求項１に記載の電磁波を低減させる電子機器の保護カバー。
【考案の詳細な説明】
【技術分野】
【０００１】
本考案の提供する電磁波を低減させる電子機器の保護カバーは、特に、電子機器を保護カバー内に納めた後、電子機器の電磁波を効果的に低減でき、電磁波が人体に及ぼす影響を防ぐことができる構造を備える。
【背景技術】
【０００２】
電子機器（例えば携帯電話やタブレットパソコン）は既に人々の日常生活の中で不可欠な電子製品となった。通信の他、娯楽や記録に用いる等、機能が豊富であるので、一々説明することは不可能である。ただ一般の電子機器の通信機能において、その電磁波が人体に引き起こす影響は、今迄ずっと人々の非難を受けている。現在、類似の研究結果によって示される通り、通信器材、家庭用品、或いは発射ステーションから来る電磁波は、メラトニンの人体の乳癌細胞をきれいにする効果を低下させる。また、血液分析でも発見されているが、人が電磁波に長期的に曝されると免疫機能が下降することも明らかである。
【考案の概要】
【考案が解決しようとする課題】
【０００３】
本考案の主な目的は、電子機器を保護カバー内に納めた後、電子機器の電磁波を効果的に低減させられ、電磁波が人体に及ぼす影響を防ぐことができる電子機器の保護カバーを提供することにある。
【課題を解決するための手段】
【０００４】
上述目的を実現するために提供する本考案の電磁波を低減させる電子機器の保護カバーにおいて、保護カバーは内張体と外保護体とにより構成される。そのうち、内張体と外保護体の二者間は粘着剤を用いて貼り合わせ、粘着剤には遠赤外線の粉末を添加する。電子機器を保護カバー内に納めた後、保護カバー内に備えた遠赤外線の粉末によって電子機器の電磁波は効果的に低減し、電磁波が人体に及ぼす影響を防ぐことができる。
【０００５】
前記電磁波を低減させる電子機器の保護カバーにおいて、保護カバーの電子機器のレンズに対応する箇所には開口を備える。
【０００６】
前記電磁波を低減させる電子機器の保護カバーにおいて、保護カバーは一体成形した被覆体と蓋体とに区分され、二者間は可撓性の連結部品によって連結する。
【０００７】
前記電磁波を低減させる電子機器の保護カバーにおいて、蓋体と被覆体の連結部品の逆方向端には嵌合体を突設し、該嵌合体は被覆体方向に下向きに延伸する。
【０００８】
前記電磁波を低減させる電子機器の保護カバーにおいて、電子機器はスマートフォンとする。
【０００９】
前記電磁波を低減させる電子機器の保護カバーにおいて、電子機器はタブレットパソコンとする。
【００１０】
前記電磁波を低減させる電子機器の保護カバーにおいて、保護カバーは遠赤外線の粉末を直接添加して一体射出成形する。
【００１１】
前記電磁波を低減させる電子機器の保護カバーにおいて、該保護カバーは熱可塑性ポリウレタン樹脂（TPU）、プラスチック材質（PC）、ＡＢＳ材質の何れかを一体射出成形したものである。
【考案の効果】
【００１２】
本考案の電磁波を低減させる電子機器の保護カバーは、電子機器を保護カバー内に納めた後、電子機器の電磁波を効果的に低減させられ、電磁波が人体に及ぼす影響を防ぐ効果を備える。
【図面の簡単な説明】
【００１３】
【図１】本考案実施例の立体図（1）である。
【図２】本考案実施例の立体図（2）である。
【図３】本考案実施例を分解した状態の立体図である。
【図４】本考案実施例を組み立てた状態の断面図である。
【図５】本考案実施例の使用状態を示す図である。
【考案を実施するための形態】
【００１４】
以下に図面を参照しながら本考案を実施するための最良の形態について詳細に説明する。
【００１５】
図１及び図２に示すとおり、保護カバーＡは内側に位置する内張体１４と外側に位置する外保護体１５とにより構成される。そのうち、内張体１４と外保護体１５の二者間は粘着剤１６を用いて貼りあわせ、粘着剤１６には遠赤外線の粉末（図３参照）を添加する。内張体１４と外保護体１５とにより構成される保護カバーＡは被覆体１０と蓋体１１に分かれ、二者間は可撓性の連結部品１２によって連結し、蓋体１１を被覆体１０に被せて合わせると保護カバーＡが形成される。被覆体１０には例えば携帯電話やタブレットパソコン等の電子機器Ｂを納める。蓋体１１の連結部品１２の相対する端箇所に突出する嵌合体１３を設け、該嵌合体１３は被覆体１０の内側端に向かって湾曲して伸びる形態である。被覆体１０の四角端にはそれぞれ保護カバーＡ内側端向きの嵌合部品１７を突設し、保護カバーＡの被覆体１０は電子機器Ｂの電子機器Ｂのレンズに対応する箇所に開口１８を備える。また、保護カバーＡは遠赤外線の粉末を直接添加して一体射出成形した熱可塑性ポリウレタン樹脂（TPU）、プラスチック材質（PC）、ＡＢＳ材質の何れかとしてもよい。
【００１６】
図１、４、５に示すとおり、電子機器Ｂを保護カバーＡの被覆体１０内に納めた後、被覆体１０の四角端の嵌合部品１７を電子機器Ｂの四つの角に嵌め合わせて電子機器Ｂを定位する。蓋体１１は連結部品１２を折曲点として被覆体１０に蓋をして合わせる。これにより嵌合体１３と電子機器Ｂは嵌め合わされ、電子機器Ｂは被覆体１０と蓋体１１との間に包覆される。並びに、保護カバーＡ内に設置した遠赤外線の粉末によって電子機器Ｂに発生する電磁波は人体許容範囲（約10db）まで低減するため、電磁波が人体に及ぼす影響を防ぐことができる。
【００１７】
これにより、電子機器Ｂを被覆体１０内に納め、蓋体１１で蓋をして合わせた後、保護カバーＡ内に備えた遠赤外線の粉末により、電子機器Ｂの電磁波を人体許容範囲まで効果的に低減でき、電磁波が人体に及ぼす影響を防ぐことができる。
【符号の説明】
【００１８】
Ａ              保護カバー
１０            被覆体
１１            蓋体
１２            連結部品
Ｂ              電子機器
１３            嵌合体
１４          内張体
１５          外保護体
１６          粘着剤
１７          嵌合部品
１８          開口
【図１】
0003186288.tif 000003
【図２】
0003186288.tif 000004
【図３】
0003186288.tif 000005
【図４】
0003186288.tif 000006
【図５】
0003186288.tif 000007